(57)【要約】【課題】レーベル面等の印刷面に印刷可能な情報記録媒体において、印刷面に複数回繰り返して異なる図柄や文字等を印刷できるようにすることにより、印刷面に印刷した図柄や文字等の修正や変更を容易に行うことを可能とする。【解決手段】本発明は、データの記録が可能な情報記録媒体１０において、データ記録面１０ａと反対側の印刷面２０ａ側に接着層２４Ａ、２４Ｂ、２４Ｃ、２４Ｄを介して積層された複数のシート層２２Ａ、２２Ｂ、２２Ｃ、２２Ｄ、２２Ｅを有し、シート層２２Ａ、２２Ｂ、２２Ｃ、２２Ｄ、２２Ｅは、合成樹脂を主成分とするベース層２２２Ａと、ベース層２２２Ａの表面に形成され無機微粒子及びバインダを含むインク受容層２２４Ａと、を含み、各シート層層２２Ａ、２２Ｂ、２２Ｃ、２２Ｄは、接着された直下のシート層２２Ｂ、２２Ｃ、２２Ｄ、２２Ｅと剥離可能である。【選択図】図１
2008052834.tif 000002
【特許請求の範囲】
【請求項１】
データの記録が可能な情報記録媒体において、
データ記録面と反対側の印刷面側に接着層を介して積層された複数のシート層を有し、
前記シート層は、合成樹脂を主成分とするベース層と、前記ベース層の表面に形成され無機微粒子及びバインダを含むインク受容層と、を含み、
前記各シート層は、接着された直下のシート層と剥離可能であることを特徴とする、情報記録媒体。
【請求項２】
前記接着層と前記インク受容層との接着力は、前記インク受容層と前記ベース層との接着力よりも低いことを特徴とする、請求項１に記載の情報記録媒体。
【請求項３】
前記接着層は、アクリル系樹脂またはゴム状物質を主成分とする粘着剤を含むことを特徴とする、請求項１に記載の情報記録媒体。
【請求項４】
前記シート層の厚みは、１５〜４０μｍであることを特徴とする、請求項１に記載の情報記録媒体。
【請求項５】
前記印刷面側から見て最下層のシート層には、最下層のシート層であることを示す表示がされていることを特徴とする、請求項１に記載の情報記録媒体。
【請求項６】
前記シート層の周縁部に、前記シート層の直下のシート層からの剥離を補助する剥離補助部が形成されていることを特徴とする、請求項１に記載の情報記録媒体。
【発明の詳細な説明】
【技術分野】
【０００１】
本発明は、情報記録媒体に関し、特に、ＣＤ−Ｒ、ＣＤ−ＲＷ等のデータの記録が可能な記録型光ディスクのレーベル面に印刷可能な情報記録媒体に関する。
【背景技術】
【０００２】
近年、大容量のデータのバックアップや、音楽、映画やドラマのような映像等の記録を行うために、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ−Ｒ、ＤＶＤ＋Ｒ（Ｄｉｇｉｔａｌ  Ｖｅｒｓａｔｉｌｅ  Ｄｉｓｋ  Ｒｅｃｏｒｄａｂｌｅ）、ＤＶＤ−ＲＷ、ＤＶＤ＋ＲＷ（Ｄｉｇｉｔａｌ  Ｖｅｒｓａｔｉｌｅ  Ｄｉｓｋ  Ｒｅｗｒｉｔａｂｌｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）等のデータの記録が可能な光ディスク等の情報記録媒体に対し、パーソナルコンピュータやＤＶＤレコーダ等により、テキスト、音楽、映像等のデータを光ディスク等の情報記録媒体に記録することが広く行われている。この際、ユーザが記録媒体に記録したデータの内容を容易に認識できるように、専用のプリンタや印刷ヘッドが内蔵された光ディスク装置等の情報記録装置を用いて、記録したデータの内容を象徴的に示す図柄や文字等（例えば、曲名やドラマのタイトルや映画のワンシーンの画像等）をディスクのデータ記録面の反対側のレーベル面等の印刷面に印刷することも行われている。
【０００３】
このようなレーベル面に印刷可能なディスクは、一般的に、レーベル面全体が無地の白色であり、ディスク専用のインクジェットプリンタ等を用いて容易に印刷できるような材料で表面が覆われ、ユーザが図柄や文字等のデータファイルをプリンタにインプットした後に印刷動作を実行すれば、自動的に所望の位置に図柄や文字等が印刷されるようになっている（例えば、特許文献１及び特許文献２を参照）。
【０００４】
【特許文献１】特開２００５−１８２９３３号公報
【特許文献２】特開２００３−２４２７５０号公報
【発明の開示】
【発明が解決しようとする課題】
【０００５】
しかしながら、仮にユーザが誤ったデータファイルの図柄や文字を印刷したり、誤って不適切な位置に図柄や文字を印刷したりした場合には、従来のディスク等の情報記録媒体では修正を施すことが極めて困難である、という問題があった。
【０００６】
また、例えば、ＣＤ−ＲＷやＤＶＤ−ＲＷ等の記録書き換え可能なディスクでは、以前に記録したデータを消去して、新たなデータを記録する場合には、データの記録書き換えに対応して、以前のレーベル面に印刷された図柄等を消去して、新たに記録したデータに対応する図柄等に変更するために印刷し直す必要が生じる場合があるが、このようなことも従来のディスク等の情報記録媒体では極めて困難である、という問題があった。
【０００７】
そこで、本発明は、このような従来のレーベル印刷可能なディスク等の記録媒体の問題に鑑みてなされたもので、レーベル面に印刷可能な記録型光ディスク等の記録媒体において、レーベル面に複数回繰り返して異なる図柄や文字等を印刷できるようにすることにより、レーベル面に印刷した図柄や文字等の修正や変更を容易に行うことを可能とすることを目的とする。
【課題を解決するための手段】
【０００８】
上記課題を解決するために、本発明のある観点によれば、データの記録が可能な情報記録媒体において、データ記録面と反対側の印刷面側に接着層を介して積層された複数のシート層を有し、このシート層は、合成樹脂を主成分とするベース層と、ベース層の表面に形成され無機微粒子及びバインダを含むインク受容層と、を含み、各シート層は、接着された直下のシート層と剥離可能である情報記録媒体が提供される。
【０００９】
かかる構成を有することにより、レーベル面等の印刷面に印刷した図柄や文字等の修正や変更を行う場合には、既に図柄等が印刷された最表面のシート層を直下のシート層から剥離させることにより、新たに最表面に表出したシート層に所望の図柄等を印刷することができる。このようにして、積層されたシート層の層数分だけ繰り返して異なる図柄や文字等を印刷することができる。したがって、ユーザの過誤による場合や光ディスクに記録されているデータを書き換えた場合などであっても、これらに対応して、レーベル面等の印刷面に印刷した図柄や文字等の修正や変更を容易に行うことが可能となる。
【００１０】
また、上記情報記録媒体において、接着層とインク受容層との接着力は、インク受容層とベース層との接着力よりも低いことが好ましい。
【００１１】
かかる構成を有することにより、例えば、最表層のシート層を剥離させる際に、接着層とシート層とは付着したままで、その下地のシート層のインク受容層をベース層に付着して脱離させることなく、最表層のシート層をその下地のシート層から剥離させることができる。したがって、最表層に位置するシート層を剥離させても、その下地のシート層のインク受容層は脱離せずに残っているので、新たに最表層となったシート層へのレーベル印刷も問題なく行うことができる。
【００１２】
また、上記接着層としては、例えば、アクリル系樹脂（水性アクリル樹脂、変性アクリル樹脂等）又は天然ゴムや、ブタジエンゴムやクロロプレンゴムなどの合成ゴムや、可塑剤を含む樹脂等のゴム状物質を主成分とする粘着剤が挙げられる。
【００１３】
かかる構成を有することにより、接着層が適度な粘着力を有するため、レーベル面等の印刷面に印刷した図柄や文字等の修正や変更を行いたい場合には、ユーザが、既に図柄等が印刷された最表面のシート層を指で摘むなどして直下のシート層から容易に剥離させることができる。
【００１４】
また、本発明に係る情報記録媒体において、上記シート層の厚みは、１５〜４０μｍであることが好ましい。シート層の厚みが１５μｍ未満であると、シート層が下地層からの剥離の際に破れやすくなるため好ましくなく、シート層の厚みが４０μｍ超であると、ディスク等の記録媒体の厚みの規格を超えてしまうため好ましくない。
【００１５】
また、上記情報記録媒体において、印刷面側から見て最下層のシート層には、最下層のシート層であることを示す表示（マーキングなど）がされていてもよい。
【００１６】
かかる構成を有することにより、ユーザは、上記表示がされたシート層が印刷可能な最後のシート層であることを視覚的に容易に認識することができる。
【００１７】
また、上記情報記録媒体において、シート層の周縁部に、シート層の直下のシート層からの剥離を補助する剥離補助部が形成されていてもよい。このような剥離補助部材としては、例えば、シート層の周縁部に形成された切り欠き（切れ込み）や指で摘めるようなタブ等が挙げられる。
【００１８】
かかる構成を有することにより、各シート層の剥離をさらに容易にすることができ、特に、複数のシート層を一度に剥離させずに、最表面のシート層のみを剥離させることが容易となる。
【発明の効果】
【００１９】
本発明によれば、レーベル面等の印刷面に印刷可能な記録型光ディスク等の情報記録媒体において、印刷面に互いに剥離可能な複数のシート層を積層することにより、積層されたシート層の層数分だけ繰り返して異なる図柄や文字等を印刷することが可能となる。したがって、ユーザの過誤による場合や記録媒体に記録されているデータを書き換えた場合などであっても、これらに対応して、印刷面に印刷した図柄や文字等の修正や変更を容易に行うことができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
本発明に係る情報記録媒体としては、例えば、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ−Ｒ、ＤＶＤ＋Ｒ（Ｄｉｇｉｔａｌ  Ｖｅｒｓａｔｉｌｅ  Ｄｉｓｋ  Ｒｅｃｏｒｄａｂｌｅ）、ＤＶＤ−ＲＷ、ＤＶＤ＋ＲＷ（Ｄｉｇｉｔａｌ  Ｖｅｒｓａｔｉｌｅ  Ｄｉｓｋ  Ｒｅｗｒｉｔａｂｌｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＢＤ（Ｂｌｕ−Ｒａｙ  Ｄｉｓｋ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｋ）等のデータの記録が可能な光ディスクや、フレキシブルディスク、ＤＡＴ等の磁気記録媒体や、ＭＯ（Ｍａｇｎｅｔｏ−Ｏｐｔｉｃａｌ  Ｄｉｓｋ）、ＭＤ（Ｍｉｎｉ  Ｄｉｓｋ）等の光磁気記録媒体や、その他、カード状の光記録媒体や、メモリカードなどの記録媒体など、任意の記録媒体が挙げられる。以下の本発明の第１から第３の実施形態においては、上記記録媒体のうち、光ディスクを例に挙げて説明する。
【００２２】
（本発明の第１の実施形態に係る光ディスクの構成）
まず、図１に基づいて、本発明の第１の実施形態に係る光ディスク１の概略的な構成について説明する。なお、図１は、本発明の第１の実施形態に係る光ディスク１の概略的な構成を示す断面図である。
【００２３】
図１に示すように、本実施形態に係る光ディスク１は、データの記録が可能な光ディスクであって、ディスク基板１０のデータ記録面１０ａ（光ディスク１へのデータの読み取りや書き込みを行う面）と反対側のレーベル面２０ａ側に、レーベル層２０を有する。レーベル層２０は、接着層２４Ａ、２４Ｂ、２４Ｃ、２４Ｄ、２５Ｅを介して積層された複数のシート層２２Ａ、２２Ｂ、２２Ｃ、２２Ｄ、２２Ｅから構成されている。各シート層２２Ａ、２２Ｂ、２２Ｃ、２２Ｄ、２２Ｅは、接着された直下のシート層（例えば、シート層２４Ａはシート層２４Ｂ）と剥離可能に形成されている。
【００２４】
ディスク基板１０は、耐熱性に優れ、照射レーザ光に対する透明性が高く、かつ平面方向の寸法安定性の高い材料により略円盤状に形成されており、公知の各種光ディスク用の基板材料であるポリカーボネート樹脂、アクリル系樹脂等を使用することができる。このディスク基板１０の中央部には、光ディスク装置（図示せず）のスピンドルモータのハブ部に嵌合させるためのチャッキング孔１０ｂが形成されている。
【００２５】
また、ディスク基板１０とレーベル層２０との間には、記録再生層１２が設けられている。記録再生層１２は、公知のＲＯＭ型の記録層や、その他色素系記録層、光磁気記録層、相変化記録相等の各種記録層を適用することができ、ＣＤ−Ｒ、ＤＶＤ＋Ｒ、ＤＶＤ−Ｒ等のライト・ワンス型の光ディスクや、ＣＤ−ＲＷ、ＤＶＤ−ＲＷ、ＤＶＤ＋ＲＷ、ＤＶＤ−ＲＡＭ等の繰り返し書き換え可能な光ディスクのように、光ピックアップ１４等の光学ヘッドから所定の波長のレーザ光を照射することにより、信号の記録や再生を行う機能を有している。本実施形態においては、ディスク基板１０の表面に微細な案内溝１０ｃが形成され、この案内溝１０ｃが形成されたディスク基板１０上に各種記録再生層１２が積層されている。
【００２６】
なお、レーベル層２０の中央部には、ディスク基板１０に形成されたチャッキング孔１０ｂに対応して、略円形の開口部２０ｂが形成されている。この開口部２０ｂの径は、チャッキング孔１０ｂの径と同じか、それよりも若干大きく形成されている。
【００２７】
次に、図２に基づいて、本実施形態に係るレーベル層２０の構成について詳細に説明する。なお、図２（ａ）は、図１に記載されたレーベル層２０の一部を拡大した断面図であり、図２（ｂ）は、（ａ）に記載されたシート層の詳細な構成を示す断面図である。
【００２８】
図２（ａ）に示すように、本実施形態に係るシート層２０は、接着層２４Ａ、２４Ｂ、２４Ｃ、２４Ｄを介して積層された５層のシート層２２Ａ、２２Ｂ、２２Ｃ、２２Ｄ、２２Ｅから構成されている。ここで、本実施形態に係るレーベル層２０においては、５層のシート層２２Ａ、２２Ｂ、２２Ｃ、２２Ｄ、２２Ｅから構成されているが、シート層の層数は５層に限られず、レーベル層全体の厚みを考慮して任意の層数とすることができる。
【００２９】
次に、シート層２２Ａ、２２Ｂ、２２Ｃ、２２Ｄ、２２Ｅの詳細な構成について説明するが、説明の便宜上、最表層のシート層２２Ａを例に挙げて説明する。図２（ｂ）に示すように、シート層２２Ａは、接着層２４Ａに接着されているベース層２２２Ａと、ベース層２２２Ａの表面に形成されたインク受容層２２４Ａと、からなる。
【００３０】
ベース層２２２Ａは、光ディスク基板１０の形状に合わせて略ドーナツ形状に形成されている。このベース層２２２Ａは、合成樹脂を主成分とし、その材質としては、例えば、紙や、ポリエチレンテレフタレート（ＰＥＴ）、ポリエチレン（ＰＥ）、ポリプロピレン（ＰＰ）、ポリカーボネート（ＰＣ）等の熱可塑性合成樹脂フィルム、ポリオレフィン等の熱可塑性合成樹脂を使用した合成紙、上記熱可塑性合成樹脂フィルムとアルミニウム等の金属箔をラミネートしたラミネートフィルム等を用いることができ、これらの合成樹脂を均一な厚みでディスク形状に成形することによりベース層２２２Ａを形成することができる。
【００３１】
インク受容層２２４Ａは、例えばシリカやアルミナ等の無機微粒子が少量のバインダにより支持された層であり、上記無機微粒子を少量のバインダに分散させた塗料をベース層２２２Ａ上に均一に塗布することにより形成することができる。このインク受容層２２４Ａに含まれるバインダ樹脂としては、例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系共重合体、ポリビニルアルコール、変性ポリビニルアルコール、ヒドロキシエチルセルロース、カルボキシメチルセルロース、デンプン等が挙げられる。
【００３２】
なお、本実施形態においては、シート層２２Ａがベース層２２２Ａとインク受容層２２４Ａとからなる例を挙げたが、シート層２２Ａは、ベース層２２２Ａとインク受容層２２４Ａ以外の層を含んでいてもよく、例えば、ベース層２２２Ａとインク受容層２２４Ａとの接着性を高めるための下塗り層や、インク受容層２２４Ａを保護するための保護層などを含むことができる。
【００３３】
接着層２４Ａ、２４Ｂ、２４Ｃ、２４Ｄは、インク受容層２２４Ｂ、２２４Ｃ、２２４Ｄ、２２４Ｅをそれぞれベース層２２２Ｂ、２２２Ｃ、２２２Ｄ、２２２Ｅから脱離させることなく、接着された各シート層２２Ａ、２２Ｂ、２２Ｃ、２２Ｄを剥離可能な粘着力を有することが好ましい。
【００３４】
各接着層２４Ａ、２４Ｂ、２４Ｃ、２４Ｄがこのような接着力を有することにより、レーベル面２０ａに印刷した図柄や文字等の修正や変更を行いたい場合には、ユーザが、既に図柄等が印刷された最表面のシート層（例えばシート層２２Ａ）を指で摘むなどして直下のシート層（例えばシート層２２Ｂ）から容易に剥離させることができる。例えば、最表面、即ち第１層目のシート層２２Ａをその下地である第２層目のシート層２２Ｂから剥離させる場合に、第１層目のシート層２２Ａと第２層目のシート層２２Ｂの上部にあるインク受容層２２４Ｂとの粘着力が２〜４の値（Ｎ／１０ｍｍ）であるならば、ユーザは第１層目のシート層２２Ａを指で摘むなどして容易に剥離させることができる。
【００３５】
接着層２４Ａ、２４Ｂ、２４Ｃ、２４Ｄが上述したような粘着力を有するためには、例えば、接着層２４Ａ、２４Ｂ、２４Ｃ、２４Ｄが、アクリル系樹脂またはゴム状物質を主成分とする粘着剤を含むことが好ましい。また、ゴム状物質としては、例えば、天然ゴムや、ブタジエンゴムやクロロプレンゴムなどの合成ゴムや、可塑剤を含む樹脂などが挙げられる。
【００３６】
また、接着層２４Ａ、２４Ｂ、２４Ｃ、２４Ｄと、その直下のインク受容層２２４Ｂ、２２４Ｃ、２２４Ｄ、２２４Ｅとの接着力は、該インク受容層２２４Ｂ、２２４Ｃ、２２４Ｄ、２２４Ｅとそのすぐ下に位置するベース層２２２Ｂ、２２２Ｃ、２２２Ｄ、２２２Ｅとの接着力よりも低いことが好ましい。
【００３７】
各接着層２４Ａ、２４Ｂ、２４Ｃ、２４Ｄがこのような接着力を有することにより、例えば、最表層の第１層目のシート層２２Ａを剥離させる際に、接着層２４Ａとシート層２２Ａとは付着したままで、その下地のシート層２２Ｂのインク受容層２２４Ｂをベース層２２２Ｂに付着して脱離させることなく、シート層２２Ａをシート層２２Ｂから剥離させることができる。したがって、最表層に位置するシート層（例えば、シート層２２Ａ）を剥離させても、その下地のシート層（例えば、シート層２２Ｂ）のインク受容層（例えば、インク受容層２２４Ｂ）は脱離せずに残っているので、シート層２２Ｂへのレーベル印刷も問題なく行うことができる。
【００３８】
また、上記シート層２２Ａ、２２Ｂ、２２Ｃ、２２Ｄ、２２Ｅの厚みは、１５〜４０μｍであることが好ましく、２０μｍ程度であることがより好ましい。シート層２２Ａ、２２Ｂ、２２Ｃ、２２Ｄ、２２Ｅの厚みが１５μｍ未満であると、シート層が下地層からの剥離の際に破れやすくなるため好ましくなく、シート層２２Ａ、２２Ｂ、２２Ｃ、２２Ｄ、２２Ｅの厚みが４０μｍ超であると、ディスクの厚みの規格を超えてしまうため好ましくない。
【００３９】
このように、本実施形態に係るシート層２２Ａ、２２Ｂ、２２Ｃ、２２Ｄ、２２Ｅの厚みは薄いものであるため、これを光ディスク１のレーベル面２０ａ側に複数層積層したとしても、十分にディスクの規格内に収まるものである。例えば、厚さ５μｍ程度の接着層を介して厚さ２０μｍ程度のシート層（このうち、例えば、ベース層の厚みが１０μｍ程度で、インク受容層の厚みが１０μｍ程度とすることができる）を５層（２２Ａ、２２Ｂ、２２Ｃ、２２Ｄ、２２Ｅ）積層したとしても、レーベル層２０全体の厚みは１２０μｍ程度にしかならない。
【００４０】
また、本実施形態に係るシート層２２Ａ、２２Ｂ、２２Ｃ、２２Ｄ、２２Ｅは、薄いものであっても十分な強度と耐候性を有するものであり、上記範囲内（１５μｍ〜４０μｍ）であれば、十分実用に耐え得るものである。
【００４１】
（本発明の第１の実施形態に係る光ディスクのレーベル面への印刷方法）
次に、図３及び図４に基づいて、本実施形態に係る光ディスクのレーベル面への印刷方法について説明する。なお、図３は、本実施形態に係る光ディスク１への印刷例を示す説明図であり、図４は、レーベル面に印刷した図柄や文字等の修正・変更方法を示す説明図である。
【００４２】
ユーザが、光ディスク１に大容量のデータのバックアップや、音楽、映画やドラマのような映像等の記録を行った場合には、この内容を直ぐに認識できるように、光ディスク１に記録したデータの内容に対応した図柄や文字を、光ディスク１のレーベル面２０ａに印刷する場合がある。ここで、例えば、図３（ａ）に示したように、ユーザが誤ったデータファイルの図柄や文字を印刷したり（本実施形態では、第１層目のシート層２２Ａに誤った情報が印刷されている）、誤って不適切な位置に図柄や文字を印刷したりする場合がある。また、例えば、光ディスク１の記録容量が一杯になったため、古い記録データ（例えば、「今日の料理」）を消去して新たなデータ（例えば、テレビ番組の録画など）を書き込む際に、図３（ｂ）に示したように、第１層目のシート層２２Ａ上のレーベル面は図柄や文字で一杯になっているような場合がある。また、レーベル面が図柄や文字で一杯になっていない場合であっても、新たに印刷する図柄や文字等がその前に印刷されている図柄や文字等と重なったりすることがないように、レーベル印刷の際に位置決めをする必要があるが、このような位置決めはユーザにとって煩雑な作業であり、新たにすべての図柄や文字を印刷し直した方が簡単である。
【００４３】
このような場合には、図４に示すように、ユーザは、誤った情報を含む図柄や文字が印刷されたシート層２２Ａや、図柄や文字で一杯になったレーベル面を有するシート層２２Ａを、第２層目のシート層２２Ｂから剥離することにより、新たに何も印刷されていない無地の第２層目のシート層２２Ｂが、光ディスク１のレーベル面側の最表面に表出することになる。したがって、ユーザは、この何も印刷されていないシート層２２Ｂに、再度正確な印刷用データファイル、または、新たに光ディスク１に記録するデータの内容に対応した印刷用データファイルを、新しいシート層（例えば、シート層２２Ｂ）の表面にインクジェットプリンタ等を用いて印刷することができる。そして、さらにレーベル面に印刷した図柄や文字に変更や修正を加えたい場合には、同様の動作を繰り返して、最表面のシート層２２Ｂを、第３層目のシート層２２Ｃから剥離させることにより、新たに第３層目のシート層２２Ｃに所望の図柄や文字を印刷することができる。このようにして、積層されているシート層の数だけ（本実施形態の場合には、４回）レーベル面に印刷された図柄や文字の修正や変更を行うことができる。
【００４４】
このように、本実施形態に係る光ディスク１によれば、レーベル面２０ａに互いに剥離可能な複数のシート層２２Ａ、２２Ｂ、２２Ｃ、２２Ｄ、２２Ｅが積層されているので、レーベル面２０ａに印刷した図柄や文字等の修正や変更を行う場合には、既に図柄等が印刷された最表面のシート層（例えば、シート層２２Ａ）を直下のシート層（例えば、シート層２２Ｂ）から剥離させることにより、新たに最表面に表出したシート層（例えば、シート層２２Ｂ）に所望の図柄等を印刷することができる。このようにして、積層されたシート層の層数分だけ繰り返して異なる図柄や文字等を印刷することができる。したがって、ユーザの過誤による場合や光ディスク１に記録されているデータを書き換えた場合などであっても、これらに対応して、レーベル面２０ａに印刷した図柄や文字等の修正や変更を容易に行うことが可能となる。
【００４５】
（本発明の第２の実施形態に係る光ディスクの構成）
次に、図５に基づいて、本発明の第２の実施形態に係る光ディスク２の構成について説明する。なお、図５は、本実施形態に係る光ディスク２の特徴的な構成を示す説明図である。
【００４６】
本実施形態に係る光ディスク２は、基本的には第１の実施形態に係る光ディスク１と同様であるが、レーベル面２０ａ側から見て最下層のシート層（例えば、第５層目のシート層２２Ｅ）には、そのシート層（２２Ｅ）が最下層のシート層であることを示す表示がされている点が異なる。
【００４７】
最下層のシート層であることを示す表示は、例えば、図５に示すように、本実施形態に係る光ディスク２においては、第４層目のシート層２２Ｄを剥離したことにより表面に現れた最下層のシート層２２Ｅの表面に、シート層２２Ｅが最下層であることを示す「ＬＡＳＴ」の表示がされている。ただし、この表示は、図柄、文字、記号等、特に限定はされず、例えば、他の文字、記号、図柄、他のシート層と色が異なるなど、任意の表示を使用することができる。
【００４８】
このように、最下層のシート層にそのシート層が最下層であることを示す表示をすることにより、ユーザは、上記表示がされたシート層（例えば、シート層２２Ｅ）が印刷可能な最後のシート層であることを視覚的に容易に認識することができる。
【００４９】
（本発明の第３の実施形態に係る光ディスクの構成）
次に、図６に基づいて、本発明の第３の実施形態に係る光ディスク３の構成について説明する。なお、図６は、本実施形態に係る光ディスク３の特徴的な構成を示す説明図である。
【００５０】
本実施形態に係る光ディスク３は、基本的には第１の実施形態に係る光ディスク１と同様であるが、シート層２２Ａ、２２Ｂ、２２Ｃ、２２Ｄ（ただし、最下層のシート層２２Ｅは除く）の周縁部に、直下のシート層２２Ｂ、２２Ｃ、２２Ｄ、２２Ｅからの剥離を補助する剥離補助部が形成されている点が異なる。
【００５１】
かかる剥離補助部としては、例えば、図６（ａ）に示したような、シート層（例えば、２２Ａ）の周縁部に形成された略Ｖ字状の切り欠き２２８ａや、図６（ｂ）に示したような、シート層の周縁部に突出して形成されたタブ２２８ｂなどがある。ただし、剥離補助部としては、上記の例に限られず、各シート層の剥離を補助する機能を有するもの、特に、複数のシート層をまとめて剥離させてしまうことを防止できるものであれば、任意の形状のものを採用することができる。
【００５２】
このように、剥離補助部を形成することにより、各シート層の剥離をさらに容易にすることができ、特に、複数のシート層を一度に剥離させずに、最表面のシート層のみを剥離させることが容易となる。
【００５３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５４】
【図１】本発明の第１の実施形態に係る光ディスクの概略的な構成を示す断面図である。
【図２】（ａ）は、図１に記載されたレーベル層の一部を拡大した断面図であり、（ｂ）は、（ａ）に記載されたシート層の詳細な構成を示す断面図である。
【図３】同実施形態に係る光ディスクへの印刷例を示す説明図である。
【図４】同実施形態におけるレーベル面に印刷した図柄や文字等の修正・変更方法を示す説明図である。
【図５】本発明の第２の実施形態に係る光ディスクの特徴的な構成を示す説明図である。
【図６】本発明の第３の実施形態に係る光ディスクの特徴的な構成を示す説明図である。
【符号の説明】
【００５５】
１      光ディスク
１０      光ディスク基板
１０ａ      データ記録面
１２      記録再生層
１４      光ピックアップ
２０      レーベル層
２０ａ      レーベル面
２２Ａ、２２Ｂ、２２Ｃ、２２Ｄ、２２Ｅ      シート層
２４Ａ、２４Ｂ、２４Ｃ、２４Ｄ、２４Ｅ      接着層
２２２Ａ      ベース層
２２４Ａ      インク受容層
２２６      最下層表示
２２８ａ      切り欠き
２２８ｂ      タブ
【図１】
2008052834.tif 000003
【図２】
2008052834.tif 000004
【図３】
2008052834.tif 000005
【図４】
2008052834.tif 000006
【図５】
2008052834.tif 000007
【図６】
2008052834.tif 000008